(57)【要約】【課題】筐体に設けられた第１通電部および第２通電部のうちの一方を使用中、他方は外部から接触不可能となるＡＣアダプタを提供する。【解決手段】ＡＣアダプタ１０は、第１通電部１３および第２通電部１５の配列方向に沿って移動可能な蓋部材１７とを備えている。第２通電部は、支持部材２８が回動することにより、第２通電端子３１が収容される第１の状態と、第２通電端子が突出する第２の状態とを選択可能である。また、蓋部材は、第１通電部を開放するとともに支持部材の回動を規制する第１の位置と、第１通電部を覆うとともに支持部材が回動可能となる第２の位置とを選択可能である。【選択図】図４
2011210434.tif 000002
【特許請求の範囲】
【請求項１】
筐体と、
前記筐体の表面に設けられた凹部の底部に立設された第１通電端子を有する第１通電部と、
前記第１通電部に隣り合う位置に設けられ、第２通電端子を有する第２通電部と、
前記第１通電部および前記第２通電部の配列方向に沿って移動可能な蓋部材とを備え、
前記第２通電部は、前記第２通電端子を支持する支持部材が前記筐体に対して回動することにより、前記筐体から前記第２通電端子が前記筐体に収容される第１の状態と、前記筐体から前記第２通電端子が突出する第２の状態とを選択可能であり、
前記蓋部材が、前記第１通電部を開放するとともに前記支持部材の回動を規制する第１の位置と、前記凹部の少なくとも一部を覆うとともに前記支持部材が回動可能となる第２の位置とを選択できるＡＣアダプタ。
【請求項２】
請求項１に記載のＡＣアダプタにおいて、
前記蓋部材が、前記第１の位置に向けて付勢されており、
前記蓋部材は、
前記第１の状態において、前記付勢によって前記第１の位置へ配置され、
前記第２の状態において、前記第２通電部に当接することにより前記第２の位置へ配置されるＡＣアダプタ。
【請求項３】
請求項１に記載のＡＣアダプタにおいて、
前記蓋部材が、前記第２の位置に向けて付勢されており、
前記蓋部材は、前記第１の状態において、前記第２通電部に接続される接続部材に当接することにより前記第１の位置へ配置され、
前記第２の状態において、前記付勢によって前記第２の位置へ配置されるＡＣアダプタ。
【請求項４】
請求項１ないし請求項３のうちのいずれかに記載のＡＣアダプタにおいて、
前記筐体と、前記第１の状態における前記第２通電部の前記第２通電端子との導通が遮断されるＡＣアダプタ。
【請求項５】
請求項１ないし請求項４のうちのいずれかに記載のＡＣアダプタにおいて、
前記蓋部材が、前記第１の状態における前記第２通電端子に対して外部から接触できないように前記第２通電部を覆うＡＣアダプタ。
【発明の詳細な説明】
【技術分野】
【０００１】
本発明は、第１通電部および第２通電部を備え、第１通電部および第２通電部のいずれか一方を用途に応じて使用可能なＡＣアダプタに関するものである。
【背景技術】
【０００２】
ＡＣアダプタのなかには、筐体に支持部材が回動自在に支持され、支持部材に第１通電部および第２通電部が設けられたものが知られている。
このＡＣアダプタは、支持部材を回動することで、第１通電部を使用可能な状態と、第２通電部を使用可能な状態とに選択可能に構成されている（例えば、特許文献１参照）。
【先行技術文献】
【特許文献】
【０００３】
【特許文献１】特開２００７−１６５０９４号公報
【発明の概要】
【発明が解決しようとする課題】
【０００４】
ところで、前述した特許文献１は、第１通電部および第２通電部のうちの一方を使用中、第１通電部および第２通電部のうちの他方にも通電し、第１通電部および第２通電部のうちの他方が外部から接触できるという問題がある。
【０００５】
本発明は、前述した課題を解決するためになされたものであり、その目的は、筐体に設けられた第１通電部および第２通電部のうちの一方を使用中、第１通電部および第２通電部のうちの他方に対して外部から接触不可能となるＡＣアダプタを提供することにある。
【課題を解決するための手段】
【０００６】
本発明は、筐体と、前記筐体の表面に設けられた凹部の底部に立設された第１通電端子を有する第１通電部と、前記第１通電部に隣り合う位置に設けられ、第２通電端子を有する第２通電部と、前記第１通電部および前記第２通電部の配列方向に沿って移動可能な蓋部材とを備え、前記第２通電部は、前記第２通電端子を支持する支持部材が前記筐体に対して回動することにより、前記筐体から前記第２通電端子が前記筐体に収容される第１の状態と、前記筐体から前記第２通電端子が突出する第２の状態とを選択可能であり、前記蓋部材が、前記第１通電部を開放するとともに前記支持部材の回動を規制する第１の位置と、前記凹部の少なくとも一部を覆うとともに前記支持部材が回動可能となる第２の位置とを選択できる。
【０００７】
このような本発明においては、蓋部材が第１の位置あるいは第２の位置を選択できる。
蓋部材を第１の位置に選択することで、第１通電部を開放するとともに支持部材の回動を規制できる。支持部材の回動を規制することで、第２通電部を第２通電端子が筐体に収容される第１の状態に保持できる。
よって、第１通電部の使用中に第２通電部を外部から接触不可能とできる。
【０００８】
一方、蓋部材を第２の位置に選択することで、凹部の少なくとも一部を覆うとともに支持部材が回動可能とできる。支持部材を回動することで、第２通電部を筐体から第２通電端子が突出する第２の状態（すなわち、使用状態）に保持できる。
よって、第２通電部の使用中に第１通電部を外部から接触不可能とできる。
このように、蓋部材を第１の位置あるいは第２の位置に選択することで、第１通電部および第２通電部のうちの一方を使用中、第１通電部および第２通電部のうちの他方に対して外部から接触不可能とできる。
【０００９】
なお、蓋部材は、第１の位置において、第１の状態から第２の状態に移行できないように支持部材の回転を規制できればよい。また、蓋部材は、支持部材の回転を阻止する位置にあってもよく、第２通電端子を覆ってもよい。
さらに、蓋部材は、第２の位置において、第１通電部（インレット）を完全に覆う必要はない。第１通電部（インレット）に対してコードやアダプタが差し込めない状態となればよい。
【００１０】
また、本発明は、前記蓋部材が、前記第１の位置に向けて付勢されており、前記蓋部材は、前記第１の状態において、前記付勢によって前記第１の位置へ配置され、前記第２の状態において、前記第２通電部に当接することにより前記第２の位置へ配置される。
本発明においては、蓋部材を第１の位置に向けて付勢することで、第２通電部の収納状態において、蓋部材が誤って移動してしまい第２通電端子が突出してしまうことを防止できる。すなわち、第２通電部の収納状態を維持できるため、筐体を最も小さい状態、すなわち良好な携帯性を維持できる。
【００１１】
また、本発明は、前記蓋部材が、前記第２の位置に向けて付勢されており、前記蓋部材は、前記第１の状態において、前記第２通電部に接続される接続体に当接することにより前記第１の位置へ配置され、前記第２の状態において、前記付勢によって前記第２の位置へ配置されてもよい。
本発明においては、蓋部材を第２の位置に向けて付勢することで、第２通電端子を突出させた状態において第１通電部と第２通電部との間に空間が空いている場合であっても、より確実に、第１通電部を覆うことができる。
【００１２】
さらに、本発明は、前記筐体と、前記第１の状態における前記第２通電部の前記第２通電端子との導通が遮断される。
本発明においては、第１の状態のとき第２通電端子が筐体に導通することを遮断可能とすることで、第１通電部の使用中に第２通電部から漏電することを防止できる。
【００１３】
また、本発明は、前記蓋部が、前記第１の状態における前記第２通電端子に対して外部から接触できないように前記第２通電部を覆う。
【００１４】
本発明においては、第１の状態のとき第２通電部を蓋部で覆うことで、第２通電端子に対して外部から接触できないようにして漏電を確実に防止できる。
【発明の効果】
【００１５】
本発明のＡＣアダプタによれば、蓋部材を第１の位置あるいは第２の位置に選択することで、第１通電部および第２通電部のうちの一方を使用中、第１通電部および第２通電部のうちの他方に対して外部から接触不可能とできるという効果を有する。
【図面の簡単な説明】
【００１６】
【図１】本発明に係る第１実施形態のＡＣアダプタを示す斜視図
【図２】図１のＡＣアダプタを示す断面図
【図３】は図２のＡ−Ａ線断面図
【図４】第１実施形態のＡＣアダプタを示す分解斜視図
【図５】第１実施形態の蓋部材を第１の位置から第２の位置に向けて移動する例を示す断面図
【図６】第１実施形態の蓋部材を第２の位置に配置した状態を示す断面図
【図７】第１実施形態の第２通電部を第１の状態から第２の状態に回動する例を示す断面図
【図８】第１実施形態の第２通電部を第２の状態に配置した状態を示す断面図
【図９】第１実施形態の蓋部材を第３の位置に配置した状態を示す断面図
【図１０】第１実施形態の変形例を示す斜視図
【図１１】本発明に係る第２実施形態のＡＣアダプタを示す図
【図１２】本発明に係る第３実施形態のＡＣアダプタを示す図
【図１３】本発明に係る第４実施形態のＡＣアダプタを示す図
【図１４】本発明に係る第５実施形態のＡＣアダプタを示す図
【図１５】本発明の変形例を示す要部断面図
【発明を実施するための形態】
【００１７】
以下、本発明の複数の実施の形態に係るＡＣアダプタ１０，６０，７０，８０，９０について図面を参照して説明する。
【００１８】
（第１実施形態）
図１〜図４に示すように、本発明の第１実施形態であるＡＣアダプタ１０は、筐体１１と、筐体１１の表面１１Ａに設けられた第１通電部１３と、第１通電部１３に隣り合う位置に設けられた第２通電部１５と、第１通電部１３および第２通電部１５の配列方向に沿って移動可能な蓋部材１７と、蓋部材１７を第２通電部１５側に付勢する付勢手段１９とを備えている。
【００１９】
筐体１１は、外形が略矩形体に形成され、表面１１Ａに第１通電部１３が設けられ、第１通電部１３に隣り合う位置１１Ｂに収納溝２１が設けられ、収納溝２１に第２通電部１５が回動自在に設けられている。
収納溝２１は、表面１１Ａに開口するとともに、端面１１Ｃに開口する溝である。
【００２０】
第１通電部１３は、筐体１１の表面１１Ａに開口する凹部２２が設けられ、凹部２２の底部２２Ａに立設された一対の第１通電端子２３を有するインレット部である。
第１通電部１３にコード２６やアダプタ２７（図４参照、以下「接続部材」と呼ぶ）を差し込むことで、第１通電部１３をインレット部として使用することができる。
【００２１】
第２通電部１５は、収納溝２１に一対の支軸２９を介して支持部材２８が回動自在に収納され、支持部材２８に支持された一対の第２通電端子３１を有する日本用プラグ（ＡＣプラグ）である。
支持部材２８の角部に突部２８Ａが形成され、支持部材２８の両端部から一対の支軸２９が同軸上に突出されている。一対の支軸２９は、支持部材２８を筐体１１に対して回動可能に支持する軸部である。
具体的には、一対の支軸２９は、筐体１１の表面１１Ａに対して平行、かつ、第１通電部１３および第２通電部１５の配列方向に対して直交するように設けられている。
【００２２】
支持部材２８に支持端子３３が設けられ、支持端子３３が第２通電端子３１に連通（接続）されている。
支持端子３３は、支持部材２８（第２通電部１５）が第２の状態（図９に示す状態）に配置されたとき筐体１１側の端子３４に接触し、支持部材２８（第２通電部１５）が第１の状態（図１〜図３に示す状態）に配置されたとき筐体１１側の端子３４に対して非接触状態に保たれる。
すなわち、第１の状態において、筐体１１と第２通電端子３１との導通が遮断される。
一対の第２通電端子３１は、各々の厚み方向が支軸２９の軸線２９Ａ（図５も参照）に対して平行な方向に沿うように、各々が互いに平行に配列されている。
【００２３】
蓋部材１７は、筐体１１に摺動自在に支持され、第１の位置Ｐ１（図１〜図３に示す状態）と第２の位置Ｐ２（図６、図７に示す状態）とに選択可能な部材である。
この蓋部材１７は、外形が略矩形状に形成され、第１通電部１３寄りの部位に開口部３６が形成されている。
【００２４】
蓋部材１７を第１の位置Ｐ１に選択（配置）することで、開口部３６を第１通電部１３の上方に配置するとともに、蓋部材１７の一端部１７Ａを支持部材２８の突部２８Ａに当接させることができる。
開口部３６を第１通電部１３の上方に配置することで、第１通電部１３を開口部３６を介して開放（外部に露出）できる。
これにより、第１通電部１３にコード２６やアダプタ２７などの接続部材（図４参照）を差し込むことで、第１通電部１３をインレット部として使用できる。
【００２５】
また、蓋部材１７の一端部１７Ａを支持部材２８の突部２８Ａに当接させることで、支持部材２８（第２通電部１５）が第１の状態から第２の状態に向けて回動することを規制できる。
よって、第２通電部１５の第２通電端子３１を筐体１１の収納溝２１に収容状態に保持するとともに、第２通電端子３１を蓋部材１７で覆うことができる。
これにより、第１通電部１３の使用中に第２通電端子３１を外部から接触不可能とできる。
【００２６】
一方、蓋部材１７を第２の位置Ｐ２に選択することで、開口部３６を第１通電部１３からずらすとともに蓋部材１７の一端部１７Ａを支持部材２８の突部２８Ａから離すことができる。
開口部３６を第１通電部１３からずらすことで、蓋部材１７で凹部２２の少なくとも一部（第１実施形態では凹部２２の全体を覆う状態を例示する）を覆うことができる。
【００２７】
すなわち、第１の状態において、第２通電端子３１に外部から接触できないように第２通電部１５を蓋部材１７で覆うことができる。
また、蓋部材１７の一端部１７Ａを支持部材２８の突部２８Ａから離すことで、支持部材２８を第１の状態から第２の状態（使用状態）に向けて回動可能とできる。
【００２８】
付勢手段１９は、蓋部材１７を第１の位置Ｐ１に向けて付勢する手段である。
この付勢手段１９は、蓋部材１７の他端部１７Ｂに下向きに設けられた蓋ピン３８と、筐体１１に上向きに設けられた筐体ピン３９と、筐体ピン３９および蓋ピン３８に係止されたコイルばね４１とを有している。
【００２９】
コイルばね４１は、中央部がコイル状に巻かれ、一端部４１Ａが蓋ピン３８に係止されるとともに、他端部４１Ｂが筐体ピン３９に係止されている。
コイルばね４１の付勢力で蓋部材１７が第１の位置Ｐ１に向けて付勢され、蓋部材１７の一端部１７Ａが支持部材２８の突部２８Ａに当接されている。
これにより、蓋部材１７が第１の位置Ｐ１に配置され、第１通電部１３が開口部３６を介して開放（外部に露出）されるとともに、支持部材２８（第２通電部１５）を第１の状態から第２の状態に向けて回動することが規制されている。
【００３０】
すなわち、図１〜図３に示すように、コイルばね４１の付勢力で蓋部材１７が第１の位置（すなわち、蓋部材１７の一端部１７Ａが支持部材２８の突部２８Ａに当接した位置）Ｐ１に保たれている。
この状態で、第１通電部１３が開口部３６を介して開放される。よって、第１通電部１３にコード２６やアダプタ２７を差し込むことができる。第１通電部１３の第１通電端子２３がコード２６やアダプタ２７に接続される。
すなわち、第１通電部１３にコード２６やアダプタ２７を差し込むことで、第１通電部１３をインレット部として使用することができる。
【００３１】
また、蓋部材１７の一端部１７Ａを支持部材２８の突部２８Ａに当接させることで、支持部材２８（第２通電部１５）が第１の状態から第２の状態に向けて回動することを規制できる。
よって、第２通電部１５の第２通電端子３１を筐体１１の収納溝２１に収容状態に保持でき、第１通電部１３の使用中に第２通電端子３１を外部から接触不可能とできる。
【００３２】
ここで、支持端子３３は、支持部材２８（第２通電部１５）が第２の状態に配置されたとき筐体１１側の端子３４に接触し、支持部材２８（第２通電部１５）が第１の状態に配置されたとき筐体１１側の端子３４に対して非接触状態に保たれる。
すなわち、第１の状態において、筐体１１と第２通電端子３１との導通が遮断される。
【００３３】
次に、ＡＣアダプタ１０の第１通電部（インレット部）１３や第２通電部（日本用プラグ）１５を使用する例を図５〜図９に基づいて説明する。
図５（Ａ），（Ｂ）に示すように、蓋部材１７に指４３を当て蓋部材１７を第１の位置Ｐ１からコイルばね４１の付勢力に抗して第１通電部１３（収納溝２１の底部２１）に向けて矢印Ａ方向にスライド移動させる。
第２通電部１５は第１の状態に配置されて筐体１１側の端子３４に対して支持端子３３が非接触状態に保たれる。
なお、図５では指４３を蓋部材１７に当ててスライド移動させているが、収納溝２１が露出している場合などには、開口部３６に指４３を引っ掛けて移動させることで、スライド移動を容易にすることもできる。
【００３４】
図６（Ａ），（Ｂ）に示すように、蓋部材１７の他端部１７Ｂが収納溝２１の底部２１Ａに当接して蓋部材１７が第２の位置Ｐ２に位置する。
蓋部材１７が第２の位置Ｐ２に位置することで、開口部３６を第１通電部１３からずらすとともに蓋部材１７の一端部１７Ａを支持部材２８の突部２８Ａから離すことができる。
【００３５】
図７（Ａ），（Ｂ）に示すように、蓋部材１７の一端部１７Ａを支持部材２８の突部２８Ａから離すことで、支持部材２８を一対の支軸２９を軸にして第２の状態に向けて矢印Ｂの如く回動する。
【００３６】
図８（Ａ），（Ｂ）に示すように、支持部材２８を第２の状態まで回動することで、第２通電端子３１が筐体１１から突出するとともに、支持端子３３が筐体１１側の端子３４に接触する。
この状態で、蓋部材１７から指４３を離して蓋部材１７をコイルばね４１の付勢力で第２通電部１５に向けて矢印Ｃ方向にスライド移動させる。
【００３７】
図９（Ａ），（Ｂ）に示すように、蓋部材１７の一端部１７Ａが第２通電部１５の支持部材２８に当接して蓋部材１７が第３の位置Ｐ３に位置する。
蓋部材１７の一端部１７Ａが支持部材２８に当接することで、支持部材２８の回動を阻止して第２通電端子３１を突出させた使用状態（第２の状態）に保持できる。
また、蓋部材１７の開口部３６を第１通電部１３からずらすことで、蓋部材１７で第１通電部１３を覆うことができる。
よって、第１通電部１３の第１通電端子２３を外部から接触不可能とできる。
【００３８】
ここで、第１実施形態の変形例を図１０に基づいて説明する。
図１０に示すように、第１実施形態の変形例は、付勢手段１９のコイルばね４１を一対のコイルばね４７に代えたものである。
一対のコイルばね４７は蓋部材１７（他端部１７Ｂ）の両側部に設けられている。一対のコイルばね４７は第１実施形態のコイルばね４１と同様に形成されている。
一対のコイルばね４７を設けた変形例の場合でも第１実施形態と同様の効果を得ることができる。
【００３９】
次に、第２実施形態〜第５実施形態のＡＣアダプタを図１１〜図１４に基づいて説明する。なお、第２実施形態〜第５実施形態において第１実施形態のＡＣアダプタ１０と同一・類似部材については同じ符号を付して説明を省略する。
【００４０】
（第２実施形態）
図１１（Ａ）〜（Ｄ）に示すように、本発明の第２実施形態であるＡＣアダプタ６０は、第１実施形態の第２通電部１５の支持部材２８を第１通電部１３側に寄せて配置し、蓋部材６２を第１通電部１３および第２通電部１５の配列方向に沿って矢印方向に移動可能に構成したものである。
第２通電部１５は、第１の状態（図１１（Ａ）、（Ｂ）の状態）において一対の第２通電端子３１が第１通電部１３から離れて配置されている。
【００４１】
第２実施形態のＡＣアダプタ６０によれば、第１の状態（図１１（Ａ）、（Ｂ）の状態）において蓋部材６２が支持部材２８の上方に位置することで、支持部材２８（第２通電部１５）が第１の状態から第２の状態（図１１（Ｃ）、（Ｄ）の状態）に向けて回動することを規制できる。
よって、第２通電部１５の第２通電端子３１を筐体１１の収納溝２１に収容状態に保持できる。
【００４２】
ここで、図１１（Ｂ）に示すように、支持端子３３は、支持部材２８（第２通電部１５）が第１の状態に配置されたとき筐体１１側の端子３４に対して非接触状態に保たれる。
すなわち、第１の状態において、筐体１１と第２通電端子３１との導通が遮断される。
【００４３】
一方、支持部材２８（第２通電部１５）が第２の状態（図１１（Ｃ）、（Ｄ）の状態）に配置されたとき、第２通電端子３１が筐体１１から突出される。
この状態で、図１１（Ｄ）に示すように、支持端子３３が筐体１１側の端子３４に接触して、筐体１１と第２通電端子３１とが導通する。
また、蓋部材６２の移動により、第１通電部１３と第２通電端子３１とのうち、一方のみを露出させ、他方を露出させないようにすることができる。
【００４４】
すなわち、第２実施形態のＡＣアダプタ６０によれば、第１実施形態のＡＣアダプタ１０と同様の効果を得ることができる。
【００４５】
（第３実施形態）
図１２（Ａ）〜（Ｄ）に示すように、本発明の第３実施形態であるＡＣアダプタ７０は、第１実施形態の第２通電端子３１の厚み方向を支軸２９の軸線２９Ａの接線に対して平行な方向に沿うように各第２通電端子３１が互いに平行に配列され、蓋部材６２を第１通電部１３および第２通電部１５の配列方向に沿って矢印方向に移動可能に構成したものである。
第２通電部１５は、第１の状態（図１２（Ａ）、（Ｂ）の状態）において一対の第２通電端子３１が第１通電部１３から離れて配置されている。
【００４６】
第３実施形態のＡＣアダプタ７０によれば、第１の状態（図１２（Ａ）、（Ｂ）の状態）において蓋部材６２が支持部材２８の上方に位置することで、支持部材２８（第２通電部１５）が第１の状態から第２の状態（図１２（Ｃ）、（Ｄ）の状態）に向けて回動することを規制できる。
よって、第２通電部１５の第２通電端子３１を筐体１１の収納溝２１に収容状態に保持できる。
【００４７】
ここで、図１２（Ｂ）に示すように、支持端子３３は、支持部材２８（第２通電部１５）が第１の状態に配置されたとき筐体１１側の端子３４に対して非接触状態に保たれる。
すなわち、第１の状態において、筐体１１と第２通電端子３１との導通が遮断される。
【００４８】
一方、支持部材２８（第２通電部１５）が第２の状態（図１２（Ｃ）、（Ｄ）の状態）に配置されたとき、第２通電端子３１が筐体１１から突出される。
この状態で、図１２（Ｄ）に示すように、支持端子３３が筐体１１側の端子３４に接触して、筐体１１と第２通電端子３１とが導通する。
また、蓋部材６２の移動により、第１通電部１３と第２通電端子３１とのうち、一方のみを露出させ、他方を露出させないようにすることができる。
【００４９】
すなわち、第３実施形態のＡＣアダプタ７０によれば、第１実施形態のＡＣアダプタ１０と同様の効果を得ることができる。
【００５０】
（第４実施形態）
図１３（Ａ）〜（Ｅ）に示すように、本発明の第４実施形態であるＡＣアダプタ８０は、第１実施形態と同様に第２通電部１５の第２通電端子３１を第１通電部１３側に寄せて配置し、蓋部材６２を第１通電部１３および第２通電部１５の配列方向に沿って矢印方向に移動可能に構成したものである。
第２通電部１５は、第１の状態（図１３（Ａ）〜（Ｃ）の状態）において支持部材２８が回動自在に第１通電部１３から離れて配置されている。
【００５１】
第４実施形態のＡＣアダプタ８０によれば、第１の状態（図１３（Ａ）、（Ｂ）の状態）において蓋部材６２が第２通電端子３１の上方に位置するとともに支持部材２８に当接する。
蓋部材６２が第２通電端子３１の上方に位置することで、第２通電端子３１に外部から接触不可能とできる。
また、蓋部材６２が支持部材２８に当接することで、支持部材２８（第２通電部１５）が第１の状態から第２の状態（図１３（Ｄ）、（Ｅ）の状態）に向けて回動することを規制できる。
よって、第２通電部１５の第２通電端子３１を筐体１１の収納溝２１に収容状態に保持できる。
【００５２】
ここで、図１３（Ｂ）に示すように、支持端子３３は、支持部材２８（第２通電部１５）が第１の状態に配置されたとき筐体１１側の端子３４に対して非接触状態に保たれる。
すなわち、第１の状態において、筐体１１と第２通電端子３１との導通が遮断される。
【００５３】
図１３（Ｃ）に示すように、蓋部材６２を第１通電部１３の上方に移動して第２通電端子３１を露出させることで、支持部材２８（第２通電部１５）が第１の状態から第２の状態（図１３（Ｄ）、（Ｅ）の状態）に向けて回動可能とできる。
【００５４】
支持部材２８（第２通電部１５）が第２の状態（図１３（Ｄ）、（Ｅ）の状態）に配置されたとき、第２通電端子３１が筐体１１から上方に向けて突出される。
この状態で、図１３（Ｅ）に示すように、支持端子３３が筐体１１側の端子３４に接触して、筐体１１と第２通電端子３１とが導通する。
【００５５】
すなわち、第４実施形態のＡＣアダプタ８０によれば、第１実施形態のＡＣアダプタ１０と同様の効果を得ることができる。
また、蓋部材６２の移動により、第１通電部１３と第２通電端子３１とのうち、一方のみを露出させ、他方を露出させないようにすることができる。
【００５６】
なお、第４実施形態のＡＣアダプタ８０では、蓋部材６２を第２通電端子３１の上方に位置することで第２通電端子３１に外部から接触不可能とできるので、第１の状態および第２の状態の両方の状態で筐体１１と第２通電端子３１とを導通させた状態に保つことも可能である。
【００５７】
また、第４実施形態のＡＣアダプタ８０は、第２の状態として、図１３（Ｄ）、（Ｅ）に示すように、第２通電部１５の第２通電端子３１を筐体１１から上方に突出する例について説明したが、これに限らないで、第２通電端子３１を、図１３（Ｄ）の想像線で示すように、筐体１１から前方に向けて突出させた状態を第２の状態とすることも可能である。
【００５８】
（第５実施形態）
図１４（Ａ）〜（Ｃ）に示すように、本発明の第５実施形態であるＡＣアダプタ９０は、第１実施形態の第２通電部１５を筐体１１に対して横方向に回動可能とし、蓋部材６２を第１通電部１３および第２通電部１５の配列方向に沿って矢印方向に移動可能に構成したものである。
すなわち、ＡＣアダプタ９０は、第２通電部１５の支軸が第１通電部１３（第１通電端子２３）の立設方向に対して平行に設けられている。
【００５９】
第５実施形態のＡＣアダプタ９０によれば、第１の状態（図１４（Ａ）の状態）において蓋部材６２が支持部材２８の上方に位置するとともに蓋部材６２のリブ６２Ａが支持部材２８の溝２８Ｂに係合することで、支持部材２８（第２通電部１５）が第１の状態から第２の状態（図１４（Ｃ）の状態）に向けて回動することを規制できる。
よって、第２通電部１５の第２通電端子３１を筐体１１の収納溝２１に収容状態に保持できる。
【００６０】
図１４（Ｂ）に示すように、蓋部材６２を第１通電部１３の上方に移動して蓋部材６２のリブ６２Ａおよび支持部材２８の溝２８Ｂの係合を解除する。
これにより、支持部材２８（第２通電部１５）が第１の状態から第２の状態（図１４（Ｃ）の状態）に向けて回動可能とできる。
また、蓋部材６２の移動により、第１通電部１３と第２通電端子３１とのうち、一方のみを露出させ、他方を露出させないようにすることができる。
【００６１】
支持部材２８（第２通電部１５）が第２の状態（図１４（Ｃ）の状態）に配置されたとき、第２通電端子３１が筐体１１から突出される。
【００６２】
すなわち、第５実施形態のＡＣアダプタ９０によれば、第１実施形態のＡＣアダプタ１０と同様の効果を得ることができる。
【００６３】
なお、本発明に係るＡＣアダプタ１０，６０，７０，８０，９０は、前述した第１実施形態〜第５実施形態に限定されるものではなく適宜変更、改良などが可能である。
例えば、第１実施形態〜第５実施形態で使用した筐体１１、第１通電部１３、第２通電部１５、蓋部材１７，６２、凹部２２、第１通電端子２３、支持部材２８および第２通電端子３１などの形状や構成は例示したものに限定するものではなく適宜変更が可能である。
【００６４】
また、前述した第１実施形態〜第５実施形態では、第２通電部１５は、収納状態において通電を遮断される構造としたが、これに限られるものではない。
図１５に示すように、第２通電部の第２通電端子の構造は、支軸２９を通電端子として端子３４と常時接触し、通電を維持する構造でもよい。この場合でも蓋部材１７、蓋部材６２等が、収納状態において第２通電部１５を覆うため、第１通電部１３が露出している状態で第２通電部１５を誤って触れてしまうことなどを避けることが出来る。
【００６５】
また、前述した第１実施形態〜第５実施形態では、蓋部材１０もしくは蓋部材６２は第２通電部１５側に付勢されていた。これは、第２通電端子３１を突出させた状態において、蓋部材１０もしくは蓋部材６２が第２通電部１５と当接することで、第１通電部１３が蓋部材１０もしくは蓋部材６２によって覆われる状態となるからである。
また、第２通電端子３１を収納した状態において、付勢によって第２通電端子３１が蓋部材１０もしくは蓋部材６２によって確実に覆われ、その状態を維持できるからである。
【００６６】
しかし、蓋部材１０もしくは蓋部材６２に対する付勢の方向は第１通電部１３側であってもよい。この場合、第１通電部１３を使用する際には、蓋部材１０もしくは蓋部材６２を第２通電部１５側にスライド移動させた状態で、コード２６やアダプタ２７等の接続部材（図４参照）を差し込むこととなる。その際、蓋部材６２は、挿し込まれているコード２６やアダプタ２７に当接する形で静止し、第２通電端子３１を覆う。
なお、付勢の方向を第１通電部１３側とすることは、特に第４実施形態のような、第２通電端子３１を突出させた状態において第１通電部１３と第２通電部１５との間に空間が空いている場合に望ましい。これは、図１３（Ｄ）および（Ｅ）に示されるとおり、第４実施形態では、第２通電端子３１を突出させた状態で蓋部材６２を第２通電部１５に当接させると、第１通電部１３が蓋部材６２に覆われず、露出してしまうからである。
【符号の説明】
【００６７】
１０，６０，７０，８０，９０  ＡＣアダプタ
１１  筐体
１１Ａ  筐体の表面
１３  第１通電部
１５  第２通電部
１７，６２  蓋部材
２２  凹部
２２Ａ  凹部の底部
２３  第１通電端子
２８  支持部材
３１  第２通電端子
Ｐ１  第１の位置
Ｐ２  第２の位置
【図１】
2011210434.tif 000003
【図２】
2011210434.tif 000004
【図３】
2011210434.tif 000005
【図４】
2011210434.tif 000006
【図５】
2011210434.tif 000007
【図６】
2011210434.tif 000008
【図７】
2011210434.tif 000009
【図８】
2011210434.tif 000010
【図９】
2011210434.tif 000011
【図１０】
2011210434.tif 000012
【図１１】
2011210434.tif 000013
【図１２】
2011210434.tif 000014
【図１３】
2011210434.tif 000015
【図１４】
2011210434.tif 000016
【図１５】
2011210434.tif 000017